(57)【要約】【課題】作業服として、折りひだ部を後身頃の湾曲袖付け部に沿って脇前方まで形成することにより、長袖服であっても腕を上方および前方へ動作させやすい作業服を提供する。【解決手段】  後身頃および前身頃の両側縫着線の上方を脇中心垂直線よりも脇前方へ移動させるとともに、後身頃の湾曲袖付け部に沿って折りひだ部を形成することにより、この折りひだ部が長袖部の基端部に対して後方全域から脇下端を通って脇前方まで延設されている。【選択図】図１
0003139172.tif 000002
【実用新案登録請求の範囲】
【請求項１】
袖部に入れた腕を前方および上方へ回す動作が容易である作業服であって、後身頃および前身頃の両側縫着線の上方を脇中心垂直線よりも脇前方へ移動させるとともに、後身頃の湾曲袖付け部に沿って折りひだ部を形成することにより、この折りひだ部が袖部の基端部に対して後方全域から脇下端を通って脇前方まで延設されている上方動作適応の作業服。
【請求項２】
袖部に入れた腕を前方および上方へ回す動作が容易である作業服であって、後身頃および前身頃の両側縫着線の上方部を脇中心垂直線よりも脇前方へ移動させるとともに、後身頃の湾曲袖付け部に沿って弾性布地を縫い付けることにより、この弾性布地が袖部の基端部に対して後方全域から脇下端を通って脇前方まで延設されている上方動作適応の作業服。
【請求項３】
後身頃および前身頃の両側縫着線の前方移動を、袖付け部近傍の上方について行うことにより、後身頃および前身頃の両側縫着線が上方において脇前方に向かって傾斜している請求項１または２記載の作業服。
【請求項４】
ヨーク部において、後身頃に対応させて折りひだ部を形成するかまたは弾性布地を織り込む請求項１または２記載の作業服。
【考案の詳細な説明】
【技術分野】
【０００１】
本考案は、折りひだ部を後身頃の湾曲袖付け部に沿って脇前方まで形成することにより、長袖服であっても腕を上方および前方へ動作させやすい作業服に関する。
【背景技術】
【０００２】
作業服は、ワーキングウェアとも称し、現業作業が容易なように機能性、耐久性や汎用性を考慮した衣服であり、ほぼ同様の型紙構成でトレーニングウェア、カジュアルウェア、スポーツシャツ、ブルゾンとして縫製されることも多い。作業服は、手動作作業が多い環境において着用するため、繁雑な手動作を行っても疲労しないような機能を有することが望ましい。特に、作業服は、運搬作業や機械作業などの種別に応じて手足の動作が一定化しやすく、その動作に適合しない作業服を着用すると、作業能率が著しく低下することになる。
【０００３】
作業服やスポーツウェアなどは、専用のズボンとともに種々の機能を取り入れて使い勝手を改善しており、工場作業や土木建設作業などの用途区分に応じて差別化も進んでいる。長袖の作業服では、一般に手動作作業が多い環境において、使用者の体型よりも少し大きめのものを着用したり、後身頃の一部に腕の動作に適応可能なストレッチ織物を縫い込んだものを着用することが多い。本出願人は、登録実用新案第３０４４７７５号および第３０６２６９５号において腕の動作に適応可能な長袖の作業服を提案している。
【特許文献１】登録実用新案第３０４４７７５号公報
【特許文献２】登録実用新案第３０６２６９５号公報
【考案の開示】
【考案が解決しようとする課題】
【０００４】
従来の作業服について、大きめのものを着用すると、作業服がだぶつくことで上衣全体が重く感じられて着用感が悪化するうえに、その作業服を工具や機械などに引っ掛ける事故が発生しやすい。また、後身頃の一部にストレッチ織物を縫い込んだ作業服は、肩を前に回す作業に適応するだけで、肩を後ろに反らしたり腕を上方に上げる作業には適応していない。また、登録実用新案第３０４４７７５号では、長袖部を主に上方向へ動かしやすくなるだけであり、第３０６２６９５号では、長袖部を上下左右の方向へ動かしやすくなるけれども、縫製作業が複雑になって高価になる。また、長袖部を上方へ伸ばす動作が容易になっても、着用者によっては美観的に好ましくないと感じる場合がある。
【０００５】
一方、従来の作業服において、折りひだ部を後身頃に形成したものは既に存在する。この種の作業服では、折りひだ部を袖付け部の近傍に位置させ、後身頃の上端から下端まで垂直に形成したり、または後身頃の湾曲部に対応させて湾曲状に形成しても、該湾曲部の下端に到達する手前で折りひだ部の縫い止めを設けている。このような折りひだ部では、長袖部に入れた腕を上方向へ動かしやすいことはあっても、長袖部を上方へ伸ばす動作は従来と変わりなく、腕を伸ばした際に作業服も同様に上方へ引き上げられてしまう。
【０００６】
本考案は、従来の作業服に関する前記の問題点を改善するために提案されたものであり、折りひだ部を後身頃の湾曲袖付け部に沿って脇前方まで形成することにより、長袖部に入れた腕を前方および上方へ動かしやすい作業服を提供することを目的としている。本考案の他の目的は、ヨーク部が、後身頃とともに腕を脇前方に回した際に伸長する作業服を提供することである。
【課題を解決するための手段】
【０００７】
本考案に係る上方動作適応の作業服は、袖部に入れた腕を前方および上方へ回す動作が容易である。本考案の作業服は、後身頃および前身頃の両側縫着線の上方を脇中心垂直線よりも脇前方へ移動させるとともに、後身頃の湾曲袖付け部に沿って折りひだ部を形成することにより、この折りひだ部が袖部の基端部に対して後方全域から脇下端を通って脇前方まで延設されている。
【０００８】
本考案に係る別の作業服は、後身頃および前身頃の両側縫着線の上方を脇中心垂直線よりも脇前方へ移動させるとともに、後身頃の湾曲袖付け部に沿って弾性布地を縫い付けることにより、この弾性布地が袖部の基端部に対して後方全域から脇下端を通って脇前方まで延設されていてもよい。
【０００９】
本考案の作業服において、後身頃および前身頃の両側縫着線の前方移動を、袖付け部近傍の上方について行うことにより、後身頃および前身頃の両側縫着線が上方において脇前方に向かって傾斜している。また、ヨーク部において、後身頃に対応させて折りひだ部を形成するかまたは弾性布地部を織り込むと好ましい。
【００１０】
本考案を図面によって説明すると、本考案に係る作業服は、図１に例示するようなブルゾンタイプの作業服１であっても、一般に作業服に分類されないトレーニングウェア、カジュアルウェアやスポーツシャツなどに適用してもよい。本考案は、袖部を縫い付けている作業服であれば、半袖、七分袖または長袖部５を有する作業服のいずれにも適用できる。図１に示す作業服１では、通常、左右の前身頃２，２に胸ポケット１２，１２を取り付け、このポケットはフラップ付きのパッチポケットが一般的である。作業服１には、さらにスラッシュポケット１４，１４や肩ポケットなどを形成してもよい。
【００１１】
後身頃３は、図１および図３から明らかなように、その両側部１６を脇中心垂直線Ｌよりも左右に長く延設し、これに応じて前身頃２，２の側部が従来よりも短くなるように採寸する。図３において、脇中心垂直線Ｌは、作業服１の長袖部５の基端部つまり脇部の縦中心を通る線であり、従来の作業服において後身頃の両側縁が位置する線である。後身頃３において、その両側部１６が脇中心垂直線Ｌを超える幅は３〜７ｃｍであり、３ｃｍ未満では腕を上方へ回す動作が殆ど容易にならず、７ｃｍを超える長さに定めることは衣服の形態から判断して不可能である。
【００１２】
後身頃３の両側縁１７（図３）は、前身頃２と縫着すると、実質的に両側縫着線１８（図１）に相当する。図３において、両側縫着線１８は上方において脇前方に向かって傾斜し、この際には両側縫着線１８の上方移動幅は、脇中心垂直線Ｌから脇前方へ３〜７ｃｍであればよく、裾部７の両側縫着線はほぼ脇中心垂直線Ｌ上に位置する。この両側縫着線は、図５に示すように垂直に配置することも可能である。
【００１３】
折りひだ部２２は、図３に示すように後身頃３の湾曲袖付け部２０の全長に沿って形成し、所望に応じてヨーク布９の個所まで折りひだ部を設けてもよい（図５参照）。折りひだ部２２は、脇中心垂直線Ｌを越えて作業服１の脇前方まで形成されることが必要である。折りひだ部２２は、湾曲袖付け縁２０との間に４〜７ｃｍの間隔を有し、この間隔は下方へ向かって拡がっても、または全長に亘ってほぼ均一であってもよい。
【００１４】
折りひだ部２２は、図４に示すような横断面を有し、後身頃本体３ａと湾曲周辺部３ｂとの間に折り返し布２４が縫着され、該折り返し布の平面形状は折りひだ部２２に対応する湾曲状であればよい。折り返し布２４は、前身頃２や後身頃３と同一または異なる布地であり、デザイン的に異なる色に着色されていても、および／または伸縮可能な布地で構成してもよい。折り返し布２４は、メッシュ地またはプラスチックシートなどで構成することも可能である。
【００１５】
折りひだ部２２において、折り返し布２４の横幅は、上端部で２０〜３５ｍｍおよび下端部で１０〜２５ｍｍ程度であればよく、この横幅は全長に亘ってほぼ均一であってもよい。 折りひだ部２２の上方部２２ａ（図２）は、長袖部５に入れた腕を矢印Ａのように上方へ回すと、上方へ伸ばした時に拡がる下方部２２ｂと比べて、伸長に要する長さが一般に大きいので、折り返し布２４において上端部の横幅を下端部のそれよりも長めに定めることが望ましい。
【００１６】
折りひだ部２２の形成とともに、図４に示す湾曲周辺部３ｂが、デザイン的に異なる色に着色されていても、および／または伸縮可能な弾性布地や通気性の高いメッシュ地で構成してもよい。図５では、湾曲周辺部３ｂが弾性布地３４で構成される代わりに、折りひだ部は形成されておらず、この場合には弾性布地３４の横幅は湾曲周辺部３ｂ（図４）の幅よりも多少大きくすることが望ましい。
【００１７】
作業服１において、ヨーク布９には、図５のように一部に別の弾性布地３８を縫い付けたり、折りひだ部２４に連接する別の折りひだ部を設けることも可能である。このヨーク布は、積荷作業を行うことが多い場合には、荷物が接触することが多いので図２のように一枚布で縫製することが望ましい。また、折りひだ部や弾性布地は、作業服の脇下において、前身頃の後端部に食い込むような態様で伸長させることも可能である。
【００１８】
作業服１では、衿部１５において台衿部を省略し、前身頃２、２およびヨーク布９に衿部１５を直接縫着してもよく、横長の台衿部を介して衿部を縫着することも可能である。衿部１５の形状は、スタンダード、ロングポイント、ショートポイント、ワイドなどのいずれでもよい。
【考案の効果】
【００１９】
本考案に係る作業服は、着用者が長袖部に入れた腕を前方へ回すと折りひだ部や弾性布地の上方部が拡がり、その腕を容易に前方へ回すことができる。また、長袖部に入れた腕を上方へ伸ばすと折りひだ部や弾性布地の下方部が拡がり、その腕を容易に上方へ伸ばすことができる。したがって、本考案の作業服は、長袖部に入れた腕を上下左右の方向へ動かしやすく、特に長袖部を上方へ伸ばす動作が容易になる。
【００２０】
本考案の作業服は、着用者の体型とほぼ一致させた寸法に縫製でき、服の破損例として多い脇部が綻びやすいという問題を解消している。本考案の作業服は、着用者の体型とほぼ一致しているので着用感が良好であり、着用者の体型に応じて通常の寸法の生地を使用できるので、大きめの作業服に比べて使用生地量が少なくなる。従来よりも使用生地量が僅かでも少なくなると、大量生産の作業服では使用生地減少の影響が大きく、従来よりも安価に販売することが可能になる。
【考案を実施するための最良の形態】
【００２１】
次に、本考案を図面に基づいて説明すると、図１に示す本考案の作業服１は、前身頃２，２と後身頃３（図２）および２本の長袖部５からなり、全体を縫製して前開き部にチャック６を縫着し、裾部７を有するブルゾンタイプである。図２に示すように、後身頃３の上辺８には横長のヨーク布９を縫着し、該ヨーク布の上辺と前身頃２の後斜辺１０（図３）とを縫着して肩シームを形成する。
【００２２】
作業服１には、フラップ付きのパッチポケット１２，１２を取り付け、さらにスラッシュポケット１４，１４を形成する。また、作業服１では、前身頃２、２の前斜辺およびヨーク布９の上辺に横長の衿部１５を縫着し、該衿部は着用時において帯環状になる。図示しないけれども、衿部１５は表裏布を縫い合わせて形成する。
【００２３】
図３から明らかなように、後身頃３は、その両側部１６が脇中心垂直線Ｌよりも左右に長く延設され、両側縁１７が脇中心垂直線Ｌを越えることにより、側縁１７すなわち後身頃３および前身頃２の両側縫着線１８（図１）は、その上方が作業服１において脇中心垂直線Ｌよりも脇前方へ移動する。この結果、図１における作業服１の正面において、両側縫着線１８は、作業服１の両側端よりもやや内側に位置している。
【００２４】
作業服１では、両側縫着線１８の前方移動を、袖付け部近傍の上方つまり後身頃３の湾曲袖付け縁２０の近傍について行うことにより、両側縫着線１８つまり側縁１７は上方において脇前方に向かって傾斜している。両側縫着線１８の上方において、その移動幅は、脇中心垂直線Ｌから脇前方へ３〜７ｃｍ程度であり、３ｃｍ未満では腕を上方へ回す動作が殆ど容易化しない。
【００２５】
折りひだ部２２は、図３に示すように後身頃３の湾曲袖付け縁２０の全長に沿って形成する。この結果、折りひだ部２２は、脇中心垂直線Ｌを越えて作業服１の脇前方まで形成されることにより、長袖部５の基端部に対して後方全域から脇下端を通って脇前方まで延設され、作業服１の背面では脇前方に向かって下向きに湾曲傾斜し、脇中心垂直線Ｌを超えると、作業服１の前面においてやや上向きに湾曲傾斜する。
【００２６】
折りひだ部２２は、図４に示すような横断面形状を有し、後身頃本体３ａと湾曲周辺部３ｂとの間に折り返し布２４が縫着され、該折り返し布の平面形状は折りひだ部２２に対応する湾曲状である。折り返し布２４の横幅は、上端部で３０ｍｍおよび下端部で１５ｍｍ程度であればよい。図示しないけれども、後身頃本体３ａと折り返し布２４とは袋縫いし、折り返し布２４と湾曲周辺部３ｂとは地縫いすればよい。
【００２７】
作業服１は、図２に示すように、着用者が長袖部５に入れた腕を矢印Ａのように前方へ回すと折りひだ部２２の上方部２２ａが拡がり、その腕を容易に前方へ回すことができる。また、長袖部５に入れた腕を矢印Ｂのように上方へ伸ばすと折りひだ部２２の下方部２２ｂが拡がり、その腕を容易に上方へ伸ばすことができる。したがって、作業服１は、長袖部５に入れた腕を上下左右の方向へ動かしやすく、特に腕を上方へ伸ばす動作が容易になるので、複雑な作業を行う際に長袖の作業服１でも障害にならない。
【００２８】
図５に示す変形例では、作業服２６の後身頃２８は、その両側部が脇中心垂直線Ｌよりも左右に長く延設され、両側縁３０が脇中心垂直線Ｌを越えることにより、側縁３０つまり後身頃２８および前身頃３２の両側縫着線は、脇中心垂直線Ｌよりも脇前方へ移動する。作業服２６において、側縁３０つまり両側縫着線は垂直に配置する。
【００２９】
スパンデックス（商標名）やウレタン繊維製のような弾性布地３４は、後身頃２８の湾曲袖付け縁３３に沿って縫い付け、その幅は５〜７ｃｍである細長い湾曲地である。弾性布地３４と後身頃２８との縫い付け線３６が、脇中心垂直線Ｌを越えて作業服２８の脇前方まで延設され、該弾性布地が長袖部の基端部に対して後方全域から脇下端を通って脇前方まで配置されている。また、ヨーク布３６においても、弾性布地３４と対応させて別の弾性布地３８を縫い付けている。
【００３０】
作業服２６は、着用者が長袖部５に入れた腕を矢印Ａのように前方へ回すと弾性布地３４の上方部および弾性布地３８が伸長し、その腕を容易に前方へ回すことができる。また、長袖部５に入れた腕を上方へ伸ばすと弾性布地３４の下方部が伸長し、その腕を容易に上方へ伸ばすことができる。
【図面の簡単な説明】
【００３１】
【図１】本考案に係る作業服を例示する概略正面図である。
【図２】図１の作業服の背面を部分的に示す要部背面図である。
【図３】図１の作業服を開いた状態で主に後身頃の個所を示す要部平面図である。
【図４】本考案における折りひだ部を拡大して示す概略横断面図である。
【図５】作業服の変形例を示す図３と同様の要部平面図である。
【符号の説明】
【００３２】
１    作業服
２    前身頃
３    後身頃
５    長袖部
９    ヨーク布
１６    後身頃の両側部
１７    後身頃の両側縁
１８    前身頃と後身頃の両側縫着線
２０    湾曲袖付け縁
２２    折りひだ部 
２４    折り返し布
【図１】
0003139172.tif 000003
【図２】
0003139172.tif 000004
【図３】
0003139172.tif 000005
【図４】
0003139172.tif 000006
【図５】
0003139172.tif 000007